(57)【要約】【課題】カーテンウォールのパネルユニットを左右の方立に簡単に連結するとともに、カーテンウォールの室内側における意匠性を向上する。【解決手段】カーテンウォール１のパネルユニット８は、左右の方立５の間に配置されて、左右の方立５に連結される。左右の方立５は、パネルユニット８の側面部８Ｂと対向して配置された連結溝部３０を有する。パネルユニット８は、左右の側面部８Ｂに設けられて連結溝部３０に連結する連結突起２０を有する。【選択図】  図３
2020190101.tif 000002
【特許請求の範囲】
【請求項１】
左右の方立の間に配置されて前記左右の方立に連結されたパネルユニットを備えたカーテンウォールであって、
前記左右の方立は、前記パネルユニットの側面部と対向して配置された連結溝部を有し、
前記パネルユニットは、左右の前記側面部に設けられて前記連結溝部に連結する連結突起を有するカーテンウォール。
【請求項２】
請求項１に記載されたカーテンウォールにおいて、
前記連結溝部は、上下方向の端部に位置して前記連結突起が挿入される挿入口と、前記連結溝部の内側に向かって突出する前記連結突起が上下方向に移動可能に配置されるスリットと、前記連結溝部内の前記連結突起を上下方向に移動可能に保持する保持部と、を有するカーテンウォール。
【請求項３】
請求項２に記載されたカーテンウォールにおいて、
前記連結突起は、前記挿入口から前記連結溝部内に挿入された状態で、前記保持部と係合可能な係合部を有するカーテンウォール。
【請求項４】
請求項１ないし３のいずれかに記載されたカーテンウォールにおいて、
前記連結突起は、前記連結溝部に左右方向に変位可能に連結するカーテンウォール。
【請求項５】
請求項１ないし４のいずれかに記載されたカーテンウォールにおいて、
前記パネルユニットは、前記側面部に上下方向に間隔を開けて設けられた複数の前記連結突起を有し、
前記方立は、前記複数の連結突起と連結する１つの前記連結溝部を有するカーテンウォール。
【請求項６】
請求項１ないし４のいずれかに記載されたカーテンウォールにおいて、
前記パネルユニットは、前記側面部に上下方向に間隔を開けて設けられた複数の前記連結突起を有し、
前記方立は、上下方向に間隔を開けて配置されて、それぞれ前記連結突起と連結する複数の前記連結溝部を有するカーテンウォール。
【発明の詳細な説明】
【技術分野】
【０００１】
本発明は、左右の方立の間に配置されるパネルユニットを備えたカーテンウォールに関する。
【背景技術】
【０００２】
方立式のカーテンウォールは、複数の方立と、複数のパネルユニット（例えば、窓ユニット）を備えている。複数の方立は、左右方向に間隔を開けて、建物の壁部に設置される。パネルユニットは、左右の方立の間に配置されて、左右の方立に連結される。また、従来、パネルユニットの縦枠と方立を連結する連結部材と、連結部材を覆うカバー部材を備えたカーテンウォールが知られている（特許文献１参照）。
【０００３】
特許文献１に記載された従来のカーテンウォールでは、パネルユニットの室内側で、連結部材が縦枠と方立に連結されて、カバー部材が連結部材に固定されている。ところが、連結部材が縦枠と方立のそれぞれに複数のビスで固定されており、連結部材により縦枠と方立を連結するのに手間がかかる。また、連結部材を遮蔽するために、カバー部材を設ける必要があり、部品数が増加する。カバー部材が室内側に露出することで、室内側からみたときのカーテンウォールの意匠性に影響が生じる虞もある。
【先行技術文献】
【特許文献】
【０００４】
【特許文献１】特開２０１８−５３５４２号公報
【発明の概要】
【発明が解決しようとする課題】
【０００５】
本発明は、前記従来の問題に鑑みなされたもので、その目的は、カーテンウォールのパネルユニットを左右の方立に簡単に連結するとともに、カーテンウォールの室内側における意匠性を向上することである。
【課題を解決するための手段】
【０００６】
本発明は、左右の方立の間に配置されて前記左右の方立に連結されたパネルユニットを備えたカーテンウォールであって、前記左右の方立は、前記パネルユニットの側面部と対向して配置された連結溝部を有し、前記パネルユニットは、左右の前記側面部に設けられて前記連結溝部に連結する連結突起を有するカーテンウォールである。
【発明の効果】
【０００７】
本発明によれば、カーテンウォールのパネルユニットを左右の方立に簡単に連結できるとともに、カーテンウォールの室内側における意匠性を向上することができる。
【図面の簡単な説明】
【０００８】
【図１】本実施形態のカーテンウォールを示す正面図である。
【図２】本実施形態のカーテンウォールの縦断面図である。
【図３】本実施形態のカーテンウォールの横断面図である。
【図４】本実施形態のカーテンウォールにおける連結突起と連結溝部の周辺部分を示す横断面図である。
【図５】本実施形態のカーテンウォールの方立を示す斜視図である。
【図６】本実施形態のカーテンウォールの施工手順を示す正面図である。
【図７】本実施形態のカーテンウォールの方立の他の例を示す斜視図である。
【図８】本実施形態のカーテンウォールの施工手順の他の例を示す正面図である。
【図９】本実施形態のカーテンウォールの施工手順の他の例を示す正面図である。
【発明を実施するための形態】
【０００９】
本発明のカーテンウォールの一実施形態について、図面を参照して説明する。
本実施形態のカーテンウォールは、方立式カーテンウォールであり、建物の壁部に用いられて、建物の室内（屋内）と室外（屋外）の間に設置される。
【００１０】
図１は、本実施形態のカーテンウォール１を示す正面図であり、建物２の壁部２Ａに設置されたカーテンウォール１の一部を室外側からみて示している。図２は、本実施形態のカーテンウォール１の縦断面図であり、カーテンウォール１と建物２の一部を示している。
【００１１】
図示のように、建物２に設置したカーテンウォール１を正面からみたときに（図１参照）、上下となる方向が上下方向であり、左右となる方向が左右方向である。図１では、上下方向は垂直方向であり、左右方向は水平方向である。室内外方向Ｓ（図２参照）は、建物２に設置したカーテンウォール１の奥行方向（屋内外方向）である。このように、カーテンウォール１に関する方向は、カーテンウォール１を建物２に設置した状態での方向（上下方向、左右方向、室内外方向Ｓ等）で特定する。また、カーテンウォール１に関して室内側、室外側とは、建物２に設置した状態のカーテンウォール１の室内側、室外側である。
【００１２】
カーテンウォール１は、左右方向に並ぶ複数の腰部３（スパンドレル部）と、左右方向に並ぶ複数の窓部４（ビジョン部）と、上下方向に延びる複数の方立５と、左右方向に延びる複数の無目６と、腰部３に設けられた複数のパネル体７と、窓部４に設けられた複数のパネルユニット８を備えている。腰部３と窓部４は、上下方向に交互に設けられて、建物２の壁部２Ａを構成している。方立５は、建物２の躯体に連結されて、建物２の壁部２Ａに固定されている。
【００１３】
方立５は、カーテンウォール１の縦材であり、左右方向に互いに間隔を開けて配置されている。無目６は、カーテンウォール１の横材であり、左右方向に隣り合う方立５の間で、上下方向に互いに間隔を開けて配置されている。無目６のそれぞれは、左右の方立５に架け渡されて、左右の方立５に連結されている。複数の方立５と複数の無目６は、カーテンウォール１の枠部であり、格子状（枠状）に組み合わされて、方形状の複数の開口部３Ａ、４Ａを形成している。一方の開口部３Ａは、左右方向に並べて形成された腰部３の開口部であり、他方の開口部４Ａは、左右方向に並べて形成された窓部４の開口部である。
【００１４】
パネル体７は、方形状のパネル状部材（例えば、ガラスパネル、金属パネル）であり、腰部３の開口部３Ａに配置されて、方立５と無目６に取り付けられている。開口部３Ａにパネル体７を設置することで、腰部３が形成されている。パネルユニット８は、窓部４の開口部４Ａに配置されて、方立５と無目６に取り付けられている。開口部４Ａにパネルユニット８を設置することで、窓部４が形成されている。方立５は、左右の腰部３（開口部３Ａ）の間、及び、左右の窓部４（開口部４Ａ）の間に位置し、無目６は、上下の腰部３と窓部４の間に位置する。
【００１５】
パネルユニット８は、カーテンウォール１の一部を構成するユニットであり、パネル体８Ａと、パネル体８Ａを囲む枠体１０と、方立５に連結する複数の突起（連結突起２０）を有している。パネル体８Ａは、方形状のパネル状部材（例えば、ガラスパネル、金属パネル）であり、枠体１０の開口部に配置されて、枠体１０に取り付けられている。ここでは、パネルユニット８は、窓部４を構成する窓ユニット（例えば、サッシ窓）であり、パネル体８Ａは、ガラスパネルである。具体的には、パネルユニット８は、固定窓ユニットであり、パネル体８Ａは、複層ガラスである。
【００１６】
枠体１０は、開口部を形成する開口枠であり、方形状に枠組みされた複数の枠１１〜１３（上枠１１、下枠１２、左右の縦枠１３）を有している。上枠１１と下枠１２は、それぞれ枠体１０の上縁部と下縁部で左右方向（横方向）に延びる横枠であり、左右の縦枠１３は、枠体１０の両側の側縁部で上下方向（縦方向）に延びる。枠１１〜１３、方立５、及び、無目６は、例えば、押出成形により形成された金属（例えば、アルミニウム合金）製の形材からなる。複数の連結突起２０は、左右の縦枠１３のそれぞれに設けられて、方立５に向かって突出している。パネルユニット８は、左右方向に隣り合う方立５の間に配置されて、連結突起２０により、左右の方立５のそれぞれに連結されている。
【００１７】
図３は、本実施形態のカーテンウォール１の横断面図であり、窓部４の箇所で左右方向に切断したカーテンウォール１を示している。また、図３は、左右方向に並ぶ２つのパネルユニット８の縦枠１３側の部分と、左右のパネルユニット８が連結された１つの方立５を示している。
図示のように、方立５は、中空状の基部５Ａと、基部５Ａから室外側に向かって突出する見込み部５Ｂと、見込み部５Ｂの室外側の端部に接続する見付け部５Ｃと、基部５Ａの室外側に位置する２つの収容溝部５Ｄと、見込み部５Ｂに設けられてパネルユニット８と連結する溝部（連結溝部３０）を有している。基部５Ａは、方立５の室内外方向Ｓにおける室内側の部分（室内側部）であり、パネルユニット８よりも室内側に位置している。
【００１８】
見込み部５Ｂは、基部５Ａと見付け部５Ｃの間で、方立５の見込み方向（室内外方向Ｓ）に沿って形成され、左右のパネルユニット８の間に位置している。見付け部５Ｃは、方立５の見付け方向（幅方向）に沿って形成され、見込み部５Ｂの室外側の端部から左右方向の両側に向かって突出している。２つの収容溝部５Ｄは、方立５の室内外方向Ｓにおける室外側の部分（室外側部）であり、基部５Ａ、見込み部５Ｂ、及び、見付け部５Ｃにより、方立５の見込み部５Ｂの左右方向の両側に凹状に形成されている。
【００１９】
収容溝部５Ｄは、パネルユニット８側に向かって開放されて、パネルユニット８の側縁部（縦枠１３）を収容する。収容溝部５Ｄ内で、パネルユニット８の側縁部は、基部５Ａと見付け部５Ｃの間に配置されて、見込み部５Ｂと対向する。連結溝部３０は、方立５の見込み部５Ｂの左右方向の両側に設けられて、収容溝部５Ｄ内に配置されている。また、連結溝部３０は、収容溝部５Ｄ内で、見込み部５Ｂからパネルユニット８に向かって突出して、パネルユニット８の連結突起２０と連結する。
【００２０】
パネルユニット８は、縦枠１３の側面部１４の室内側に配置されたアンカープレート４０を有している。縦枠１３の側面部１４は、パネルユニット８及び枠体１０の側面部８Ｂの一部（室外側の部分）であり、縦枠１３の見込み方向（室内外方向Ｓ）に沿って形成されている。アンカープレート４０は、縦枠１３の長手方向（上下方向）に延びる板状のアンカーであり、ネジ４１により、縦枠１３に固定されている。また、アンカープレート４０は、パネルユニット８及び枠体１０の側面部８Ｂの一部（室内側の部分）であり、縦枠１３の見込み方向に沿って配置されている。縦枠１３の側面部１４とアンカープレート４０は、パネルユニット８の左右方向の両側で、室内外方向Ｓに並べて配置されて、パネルユニット８の左右の側面部８Ｂを構成している。
【００２１】
パネルユニット８の側面部８Ｂは、パネルユニット８の外周部のうち、パネルユニット８の左右方向の両側に位置する左右の外周部（側方外周部）であり、室内外方向Ｓに沿って形成されている。パネルユニット８の連結突起２０は、側面部８Ｂであるアンカープレート４０に固定されており、パネルユニット８の左右両側の側面部８Ｂに設けられている。縦枠１３の側面部１４、アンカープレート４０、パネルユニット８の側面部８Ｂ、及び、連結突起２０は、方立５の収容溝部５Ｄ内に配置されている。収容溝部５Ｄ内で、連結突起２０は、側面部８Ｂから左右方向（パネルユニット８の側方）に向かって突出するとともに、方立５の見込み部５Ｂ及び連結溝部３０に向かって突出している。
【００２２】
方立５の見込み部５Ｂは、板状の対向部であり、方立５の見込み部５Ｂ及び連結溝部３０は、左右方向において、パネルユニット８の側面部８Ｂと対向して配置されている。連結溝部３０は、溝状の被連結部であり、パネルユニット８の左右両側で、対向する側面部８Ｂに向かって開放されている。パネルユニット８の連結突起２０は、パネルユニット８の左右両側で、対向する方立５の連結溝部３０内で連結溝部３０に連結している。収容溝部５Ｄ内で、互いに連結された連結突起２０と連結溝部３０により、パネルユニット８の左右の側面部８Ｂが左右の方立５の見込み部５Ｂに連結されて、パネルユニット８が方立５に保持されている。
【００２３】
図４は、本実施形態のカーテンウォール１における連結突起２０と連結溝部３０の周辺部分を示す横断面図であり、図３の一部を拡大して示している。図５は、本実施形態のカーテンウォール１の方立５を示す斜視図である。
図示のように、方立５の連結溝部３０は、方立５の長手方向（上下方向）の両端部の間で、方立５の長手方向に延びる。連結溝部３０の上下の端部は、それぞれ上下と下方に向かって開放されて、連結溝部３０の内側（内側空間）に連通している。パネルユニット８の連結突起２０は、連結溝部３０の上下方向の端部（上端部、又は、下端部）から連結溝部３０の内側に挿入されて、連結溝部３０内に上下方向に移動可能に配置され、連結溝部３０内に連結される。
【００２４】
パネルユニット８の連結突起２０は、パネルユニット８の側面部８Ｂ（アンカープレート４０）に取り付けられたネジ部２１と、側面部８Ｂから連結溝部３０に向かって突出する突出部２２と、連結溝部３０に係合する係合部２３を有している。ここでは、連結突起２０は、突起部材である段付きネジである。また、ネジ部２１と突出部２２は、段付きネジの軸部であり、突出部２２は、ネジ部２１と係合部２３の間に位置している。係合部２３は、突出部２２から張り出す段付きネジの頭部（フランジ部）であり、突出部２２の突出方向の先端部に、突出部２２よりも大径に形成されている。連結突起２０の突出部２２は、パネルユニット８の側面部８Ｂから連結溝部３０の内側まで突出しており、突出部２２の係合部２３側（先端側）の部分と係合部２３は、連結溝部３０内に位置している。
【００２５】
連結溝部３０は、連結突起２０と連結する連結部材３１に形成されている。連結部材３１は、方立５の見込み部５Ｂの左右方向の両側の収容溝部３Ｄ内に配置され、見込み部５Ｂに当接している。見込み部５Ｂは、左右の連結部材３１の間に挟まれている。連結部材３１は、連結溝部３０と、連結溝部３０の室内側に位置する固定部３２と、連結溝部３０の室外側に位置する嵌合部３３を有している。
【００２６】
嵌合部３３は、連結溝部３０から室外側に向かって突出する嵌合片であり、方立５の被嵌合部５Ｅに嵌合している。被嵌合部５Ｅは、室内側に向かって開放された嵌合凹部であり、方立５の見込み部５Ｂに形成されている。嵌合部３３が被嵌合部５Ｅに嵌合した状態で、ネジ３４により、連結部材３１の固定部３２が方立５の見込み部５Ｂに固定されて、連結部材３１が方立５の見込み部５Ｂに取り付けられている。
【００２７】
連結溝部３０は、溝底に位置する底部３５と、室内外方向Ｓにおいて互いに対向する一対の壁部３６と、連結溝部３０内の連結突起２０を保持する保持部３７と、連結突起２０の突出部２２が挿通するスリット３８と、上下方向の端部に位置する挿入口３９（図５参照）を有している。底部３５は、方立５の見込み部５Ｂに配置されており、一対の壁部３６は、底部３５の室内外方向Ｓの両端部からパネルユニット８の側面部８Ｂに向かって突出している。保持部３７は、室内外方向Ｓにおいて互いに対向する２つの保持片であり、一対の壁部３６から互いに接近する方向に突出して、互いの間にスリット３８を形成している。連結溝部３０は、保持部３７により、連結突起２０が連結溝部３０から外れるのを防止して、連結突起２０を内部に保持している。
【００２８】
スリット３８は、２つの保持部３７の間に形成された連結溝部３０の開口部であり、パネルユニット８の側面部８Ｂと対向して配置されて、側面部８Ｂに向かって開放されている。保持部３７により、連結溝部３０のパネルユニット８側の幅（スリット３８の幅）は、連結溝部３０の底部３５側の幅よりも狭く形成されている。また、スリット３８は、連結突起２０をガイドするガイド部（ガイドスリット）であり、挿入口３９と連通して、挿入口３９から上下方向に沿って延びる。挿入口３９は、連結溝部３０の上下方向の端部に形成された開口部であり、連結溝部３０の上下方向の外側に向かって開放されている。
【００２９】
連結突起２０の突出部２２と係合部２３は、連結溝部３０の上下方向の外側から挿入口３９に挿入されて、挿入口３９から連結溝部３０の内側に配置される。その状態で、連結突起２０の突出部２２は、パネルユニット８の側面部８Ｂからスリット３８を通って連結溝部３０の内側に向かって突出し、スリット３８に上下方向に移動可能に配置される。また、連結突起２０の突出部２２は、スリット３８内で、２つの保持部３７の間に配置されており、２つの保持部３７に挟まれる。保持部３７は、スリット３８の縁部であり、連結突起２０の突出部２２に対して室内外方向Ｓの両側に位置する。連結溝部３０は、スリット３８の両側の縁部（保持部３７）により、突出部２２及び連結突起２０の室内外方向Ｓの移動を規制する。
【００３０】
連結突起２０の突出部２２の係合部２３側の部分と係合部２３は、連結溝部３０の内側、及び、一対の壁部３６の間に、上下方向に移動可能に配置される。連結突起２０の突出部２２は、スリット３８と連結溝部３０の内側で上下方向に移動し、連結突起２０の係合部２３は、連結溝部３０の内側で上下方向に移動する。連結溝部３０のスリット３８は、保持部３７により、連結突起２０の室内外方向Ｓの移動を規制しつつ、連結突起２０の突出部２２を上下方向にガイドする。
【００３１】
連結突起２０の係合部２３は、挿入口３９から連結溝部３０内に挿入された状態で、連結溝部３０の２つの保持部３７と係合可能な被保持部であり、左右方向において、保持部３７と対向して配置される。連結溝部３０の保持部３７は、係合部２３と係合することで、連結溝部３０内の係合部２３及び連結突起２０を上下方向に移動可能に保持する。連結突起２０の係合部２３は、保持部３７により、連結溝部３０内に保持され、連結突起２０は、係合部２３により、連結溝部３０に連結する。
【００３２】
係合部２３と底部３５の間、及び、係合部２３と保持部３７の間のそれぞれに隙間が開いた状態で、連結突起２０の係合部２３は、連結溝部３０内に配置されている。従って、連結突起２０の係合部２３は、底部３５と保持部３７の間に左右方向に変位可能に配置されている。このように、係合部２３及び連結突起２０は、左右方向に変位可能に連結溝部３０内に配置されて連結溝部３０に連結する。連結溝部３０は、連結突起２０の室内外方向Ｓの変位を規制するとともに、連結突起２０の左右方向の変位を許容する。
【００３３】
パネルユニット８の温度による伸縮等により、連結突起２０が連結溝部３０の外側に向かって左右方向に変位したときに、連結突起２０の係合部２３は、連結溝部３０内で２つの保持部３７に引っ掛かり、保持部３７に係合して停止する。連結溝部３０は、係合部２３と係合する保持部３７により、連結突起２０が連結溝部３０から抜けるのを防止して、連結突起２０と連結した状態を維持する。
【００３４】
カーテンウォール１は、ノックダウン式カーテンウォールであり、建物２の壁部２Ａにノックダウン方式で設置される。また、パネルユニット８は、左右の側面部８Ｂに上下方向に互いに間隔を開けて設けられた複数の連結突起２０（図１参照）を有しており、方立５は、側面部８Ｂの複数の連結突起２０と連結する１つの連結溝部３０（図５参照）を有している。カーテンウォール１の施工時に、側面部８Ｂに設けられた全ての連結突起２０が、方立５の１つの連結溝部３０に上下方向に移動可能に連結する。
【００３５】
図６は、本実施形態のカーテンウォール１の施工手順を示す正面図であり、建物２の壁部２Ａに設置されるカーテンウォール１の一部を室外側からみて示している。
図示のように、複数の方立５を建物２の壁部２Ａに設置し、パネルユニット８の下側の無目６を左右の方立５の間に設置する。続いて、パネルユニット８を方立５の上方から下方に向かって移動させて、左右の方立５の間にパネルユニット８を設置する。その際、パネルユニット８の左右の両側で、連結突起２０の係合部２３のそれぞれを連結溝部３０の上端部の挿入口３９から連結溝部３０内に順に挿入する。
【００３６】
方立５の連結溝部３０により、連結突起２０を方立５の長手方向に沿って下方にガイドして、パネルユニット８を下側の無目６まで移動させる。パネルユニット８を無目６に載置して無目６に取り付ける。パネルユニット８の左右の連結突起２０は、それぞれ方立５の連結溝部３０に連結され、連結突起２０と連結溝部３０により、パネルユニット８は、左右の方立５に連結される。次に、パネルユニット８の上側の無目６を左右の方立５の間に設置してパネルユニット８に取り付ける。以上の手順で、パネルユニット８をカーテンウォール１の複数の窓部４に設置する。
【００３７】
以上説明したカーテンウォール１では、連結突起２０と連結溝部３０により、パネルユニット８を左右の方立５に簡単に連結することができ、パネルユニット８を左右の方立５に安定して保持することもできる。また、パネルユニット８の左右の側面部８Ｂを方立５に連結しており、パネルユニット８の室内側に連結部材やカバーを設ける必要がない。そのため、パネルユニット８の室内側において、方立５とパネルユニット８の接続箇所の意匠性、及び、カーテンウォール１の意匠性を向上することができる。パネルユニット８が防火設備である場合に、火災が発生したときでも、パネルユニット８を左右の方立５に安定して保持することができる。
【００３８】
連結突起２０を挿入口３９から連結溝部３０内に挿入することで、連結突起２０を保持部３７により連結溝部３０内に保持することができる。また、連結溝部３０のスリット３８により、連結突起２０を連結溝部３０に連結した状態で上下方向に移動することができる。従って、連結突起２０の連結溝部３０への連結動作を簡単にして、連結突起２０を連結溝部３０に容易に連結することができる。連結突起２０の係合部２３が連結溝部３０の保持部３７に係合することで、連結突起２０を連結溝部３０内に安定して保持することができる。係合部２３と保持部３７の係合により、火災時に、防火設備であるパネルユニット８をより安定して左右の方立５に保持することもできる。
【００３９】
連結突起２０が連結溝部３０に左右方向に変位可能に連結しており、カーテンウォール１に生じる各種の誤差（例えば、製作時の誤差、施工時の誤差）に追従することができる。また、連結突起２０を連結溝部３０に容易に連結して、パネルユニット８を左右の方立５に確実に連結することができる。パネルユニット８の温度による伸縮に対応することもできる。パネルユニット８の側面部８Ｂの複数の連結突起２０を方立５の１つの連結溝部３０に連結しており、複数の連結突起２０と連結する連結溝部３０を方立５に容易に設けることができる。
【００４０】
図７は、本実施形態のカーテンウォール１の方立５の他の例を示す斜視図である。
図示のように、方立５は、上下方向に互いに間隔を開けて配置された複数の連結溝部３０を有している。１つの連結部材３１の上下方向の複数箇所で、一対の壁部３６と保持部３７を除去して、１つの連結部材３１に複数の連結溝部３０を形成する。或いは、複数の連結部材３１を上下方向に間隔を開けて方立５の見込み部５Ｂに取り付けて、複数の連結溝部３０を方立５に設ける。
【００４１】
連結溝部３０の数は、パネルユニット８の側面部８Ｂのそれぞれに設けられた連結突起２０の数と同じ数であり、複数の連結溝部３０は、それぞれ１つの連結突起２０と連結する。上下方向に隣り合う連結溝部３０の間の部分は、複数の連結突起２０の間隔に対応する間隔で設けられる。カーテンウォール１の施工時に、パネルユニット８の側面部８Ｂに設けられた複数の連結突起２０は、互いに異なる連結溝部３０に上下方向に移動可能に連結する。連結溝部３０の間の部分から、連結突起２０のそれぞれを対応する連結溝部３０に簡単に連結することができる。
【００４２】
図８、図９は、本実施形態のカーテンウォール１の施工手順の他の例を示す正面図であり、建物２の壁部２Ａに設置されるカーテンウォール１の一部を室外側からみて示している。図８、図９に示す施工手順では、パネルユニット８を図７に示す方立５に連結する。
図８に示す施工手順では、左右の方立５のうちの一方の方立５に対して、他方の方立５を左右方向にずらせて、左右の方立５の間で、パネルユニット８の連結突起２０の位置と方立５の連結溝部３０の間の部分の位置を合わせる。続いて、他方の方立５をパネルユニット８との連結位置に配置し、パネルユニット８を無目６に載置する。その際、パネルユニット８の左右の連結突起２０のそれぞれを方立５の連結溝部３０に挿入して連結溝部３０に連結する。これにより、パネルユニット８を左右の方立５に連結して左右の方立５の間に設置する。
【００４３】
図９に示す施工手順では、左右の方立５のうちの一方の方立５を設置する。続いて、パネルユニット８の一方の側面部８Ｂの連結突起２０を一方の方立５の連結溝部３０に連結しつつ無目６に載置する。その状態で、他方の方立５の連結溝部３０をパネルユニット８の他方の側面部８Ｂの連結突起２０と連結しながら、他方の方立５を設置する。これにより、パネルユニット８を左右の方立５に連結して左右の方立５の間に設置する。
【００４４】
なお、連結突起２０は、パネルユニット８の側面部８Ｂに取り付けられた突起部材であってもよく、パネルユニット８の側面部８Ｂに一体に形成された突起部分であってもよい。また、連結溝部３０は、方立５に取り付けられた連結部材３１に形成されていてもよく、方立５に一体に形成された溝状の連結部分であってもよい。パネルユニット８は、固定窓ユニット以外のパネルユニット（例えば、開閉窓ユニット、外壁ユニット）であってもよい。パネルユニット８が開閉窓ユニットであるときには、パネルユニット８のパネル体８Ａは、枠体１０に開閉可能に連結された障子である。
【００４５】
以上のとおり、カーテンウォールは、左右の方立の間に配置されて前記左右の方立に連結されたパネルユニットを備えたカーテンウォールであって、
前記左右の方立は、前記パネルユニットの側面部と対向して配置された連結溝部を有し、
前記パネルユニットは、左右の前記側面部に設けられて前記連結溝部に連結する連結突起を有するカーテンウォールである。
このカーテンウォールによれば、カーテンウォールのパネルユニットを左右の方立に簡単に連結できるとともに、カーテンウォールの室内側における意匠性を向上することができる。
【００４６】
前記連結溝部は、上下方向の端部に位置して前記連結突起が挿入される挿入口と、前記連結溝部の内側に向かって突出する前記連結突起が上下方向に移動可能に配置されるスリットと、前記連結溝部内の前記連結突起を上下方向に移動可能に保持する保持部と、を有する。
従って、連結突起の連結溝部への連結動作を簡単にして、連結突起を連結溝部に容易に連結することができる。
【００４７】
前記連結突起は、前記挿入口から前記連結溝部内に挿入された状態で、前記保持部と係合可能な係合部を有する。
係合部が保持部に係合することで、連結突起を連結溝部内に安定して保持することができる。
【００４８】
前記連結突起は、前記連結溝部に左右方向に変位可能に連結する。
従って、連結突起を連結溝部に容易に連結して、パネルユニットを左右の方立に確実に連結することができる。パネルユニットの温度による伸縮に対応することもできる。
【００４９】
前記パネルユニットは、前記側面部に上下方向に間隔を開けて設けられた複数の前記連結突起を有し、
前記方立は、前記複数の連結突起と連結する１つの前記連結溝部を有する。
従って、複数の連結突起と連結する連結溝部を方立に容易に設けることができる。
【００５０】
前記パネルユニットは、前記側面部に上下方向に間隔を開けて設けられた複数の前記連結突起を有し、
前記方立は、上下方向に間隔を開けて配置されて、それぞれ前記連結突起と連結する複数の前記連結溝部を有する。
上下方向に隣り合う連結溝部の間の部分から、連結突起のそれぞれを対応する連結溝部に簡単に連結することができる。
【符号の説明】
【００５１】
１・・・カーテンウォール、２・・・建物、２Ａ・・・壁部、３・・・腰部、３Ａ・・・開口部、４・・・窓部、４Ａ・・・開口部、５・・・方立、５Ａ・・・基部、５Ｂ・・・見込み部、５Ｃ・・・見付け部、５Ｄ・・・収容溝部、５Ｅ・・・被嵌合部、６・・・無目、７・・・パネル体、８・・・パネルユニット、８Ａ・・・パネル体、８Ｂ・・・側面部、１０・・・枠体、１１・・・上枠、１２・・・下枠、１３・・・縦枠、１４・・・側面部、２０・・・連結突起、２１・・・ネジ部、２２・・・突出部、２３・・・係合部、３０・・・連結溝部、３１・・・連結部材、３２・・・固定部、３３・・・嵌合部、３４・・・ネジ、３５・・・底部、３６・・・壁部、３７・・・保持部、３８・・・スリット、３９・・・挿入口、４０・・・アンカープレート、４１・・・ネジ、Ｓ・・・室内外方向。
【図１】
2020190101.tif 000003
【図２】
2020190101.tif 000004
【図３】
2020190101.tif 000005
【図４】
2020190101.tif 000006
【図５】
2020190101.tif 000007
【図６】
2020190101.tif 000008
【図７】
2020190101.tif 000009
【図８】
2020190101.tif 000010
【図９】
2020190101.tif 000011